(57)【特許請求の範囲】
【請求項１】
内面に薬味植物をすりおろす複数の突起を備え、下側に突起したおろし器本体と、
前記おろし器本体の上面を被覆する網体とを備え、
前記網体はメッシュ状であり、
前記メッシュの間隔は、前記突起のうちの近接した２つの間隔よりも小さいことを特徴とする、おろし器。
【請求項２】
前記おろし器本体を係止する下側バーと、
前記網体を係止する上側バーとを備え、
前記下側バーと前記の上側バーが、前記おろし器本体及び前記網体と反対側で接合してトング形状をなし、
前記トングによって、前記おろし器本体及び前記網体が接合した状態と、離間した状態を形成することのできることを特徴とする、請求項１に記載のおろし器。
【請求項３】
前記上側バーと前記下側バーとを係止し、前記トングを前記おろし器本体及び前記網体が接合した状態に固定する係止具を備えること特徴とする、請求項２に記載のおろし器。
【発明の詳細な説明】
【技術分野】
【０００１】
本発明は、薬味植物をすりおろす突起を有するおろし器に関する。
【背景技術】
【０００２】
従来、生姜、ニンニク等の薬味植物のすりおろし器が存在する（例えば、特許文献１参照）。また、すりおろした薬味植物から水分を分離できるすりおろし器も存在する（例えば、特許文献２参照）。また、飲料容器中に沈めることができる茶こし器も存在する（例えば、特許文献３参照）。
【０００３】
さらには、２つの半球を合わせて球状にした茶こし器も存在する。２つの半球を合わせる茶こし器については、球内から茶葉が漏れ出ないよう半球同士を密着させるために、強いばねが用いられている。そのため、半球同士の密着を解くのに片手では困難であるという問題があった。
【０００４】
また、従来、スプーンの内面に薬味植物をすりおろす複数の突起が設けられたおろし付きティースプーンというものが存在する。当該スプーンの内面に設けられた突起で、例えば生姜をすりおろし、そのままスプーンをお湯に浸けることで、生姜湯をつくることができる。
【先行技術文献】
【特許文献】
【０００５】
【特許文献１】公開実用昭５７−７８８３３３号公報
【特許文献２】実開平４―１１２３３８号公報
【特許文献３】特開２００４−１８８２１０号公報
【発明の概要】
【発明が解決しようとする課題】
【０００６】
しかしながら、すりおろした生姜を載せたスプーンをそのままお湯に浸けると、細かくすりおろされた生姜以外にも、粒の大きい生姜のかすも一緒にお湯の中に入ってしまう。このため、生姜湯を飲む場合、生姜のかすも一緒に飲むことになり、のど越しが悪いという問題があった。かすが沈むのを待って飲むこともできるが、待っている間にお湯が冷めてしまうという問題があった。
【０００７】
本発明は、薬味植物をすりおろした際に発生する粒の大きいかすを分離し、粒の小さい薬味植物のみを取り出すことができるおろし器を提供することを課題とする。
【課題を解決するための手段】
【０００８】
本発明のおろし器は、
内面に薬味植物をすりおろす複数の突起を備え、下側に突起したおろし器本体と、
前記おろし器本体の上面を被覆する網体とを備えることを特徴とする。
【０００９】
この特徴によれば、おろし器本体内面に設けられた突起で薬味植物をすりおろし、おろし器本体の上面を網体で被覆して水中に浸けた場合に、網体を通過する薬味植物のみを水中に取り出すことができ、薬味植物をすりおろした際に発生する、網体を通過できない粒の大きいかすを分離することができる。
【００１０】
本発明のおろし器は、
前記網体はメッシュ状であり、
前記メッシュの間隔は、前記突起のうちの近接した２つの間隔よりも小さいことを特徴とする。
【００１１】
この特徴によれば、薬味植物を突起ですりおろしておろし器本体の上面を網体で被覆して水中に浸けた場合に、メッシュの間隔よりも大きい径を有する薬味植物は網体を通過することができず、メッシュを通過可能な粒の小さい薬味植物のみを水中に取り出すことができる。
【００１２】
本発明のおろし器は、
前記おろし器本体を係止する下側バーと、
前記網体を係止する上側バーとを備え、
前記下側バーと前記の上側バーが、前記おろし器本体及び前記網体と反対側で接合してトング形状をなし、
前記トングによって、前記おろし器本体及び前記網体が接合した状態と、離間した状態を形成することのできることを特徴とする。
【００１３】
この特徴によれば、トングを用いて、おろし器本体及び網体を容易に接合及び離間させることができる。
【００１４】
本発明のおろし器は、
前記上側バーと前記下側バーとを係止し、前記トングを前記おろし器本体及び前記網体が接合した状態に固定する係止具を備えること特徴とする。
【００１５】
この特徴によれば、係止具を用いて、おろし器本体及び網体を容易に接合及び離間させることができる。
【発明の効果】
【００１６】
本発明のおろし器は、内面に薬味植物をすりおろす複数の突起を備え、下側に突起したおろし器本体と、前記おろし器本体の上面を被覆する網体とを備えるため、おろし器本体内面に設けられた突起で薬味植物をすりおろし、おろし器本体の上面を網体で被覆して水中に浸けた場合に、網体を通過する薬味植物のみを水中に取り出すことができ、薬味植物をすりおろした際に発生する、網体を通過できない粒の大きいかすを分離することができる。
【図面の簡単な説明】
【００１７】
【図１】図１は、本発明の実施形態に係るおろし器の側面図である。
【図２】図２は、おろし器本体の内面に設けられた複数の突起の間隔を示す図１におけるＡ矢視図である。
【図３】図３は、網体のメッシュの間隔を示す図１におけるＢ矢視図である。
【図４】図４は、おろし器本体と網体とが接合した状態を示すおろし器の側面図である。
【図５】図５は、変形例に係るおろし器の側面図である。
【発明を実施するための形態】
【００１８】
以下、本発明の実施形態について、図面を参照して詳細に説明する。
【００１９】
図１は、本発明の実施形態に係るおろし器１の側面図である。当該おろし器１は、下側に突起したおろし器本体１０と、おろし器本体１０の上面の開口部を被覆する網体２０と、を有する。おろし器本体１０の内面には、図２に示すように、薬味植物をすりおろす複数の突起１１が設けられている。
【００２０】
網体２０はメッシュ状に構成されている。当該メッシュの間隔Ｍ（図３参照）は、おろし器本体１０に設けられた複数の突起１１のうちの近接した２つの間隔Ｗ（図２参照）よりも小さい（Ｗ＞Ｍ）。当該メッシュの間隔Ｍは、すりおろされた薬味植物のうち、当該メッシュの通過が可能な薬味植物の径の上限であり、当該間隔Ｍよりも大きい径を有する薬味植物の通過が禁止される幅である。突起１１のうちの近接した２つの間隔Ｗは、当該突起１１ですりおろされた薬味植物の想定される径であり、間隔Ｗよりも大きい径を有する薬味植物は削りかすと想定される。したがって、間隔Ｍを間隔Ｗよりも小さくすることで、薬味植物を突起１１ですりおろしておろし器本体１０の上面を網体２０で被覆し水中に浸けた場合に、メッシュの間隔Ｍよりも大きい径を有する薬味植物のかすは、網体２０を通過することができないため、かすが水中に流出するのを防止することができ、メッシュを通過可能な粒の小さい薬味植物のみを水中に取り出すことができる。
【００２１】
おろし器本体１０の上面の開口部の一端は棒状の下側バー３０の一端で係止されている。網体２０の外周の一端は棒状の上側バー４０の一端で係止されている。下側バー３０及び上側バー４０は、おろし器本体１０及び網体２０が係止されている側とは反対側で接合して、トング形状をなしている。当該下側バー３０及び上側バー４０で構成されたトング５０によって、おろし器本体１０及び網体２０は、図４に示す接合した状態と、図１に示す離間した状態と、を形成することができる。
【００２２】
上側バー４０及び下側バー３０の長手方向略中間位置の対向する面それぞれには、係止具６０を構成する雄部材６０ａ及び雌部材６０ｂが設けられている。係止具６０は、図４に示すように、上側バー４０と下側バー３０とを係止し、トング５０をおろし器本体１０と網体２０とが接合した状態に固定する。
【００２３】
具体的には、雄部材６０ａは上側バー４０の長手方向の閉位置と開位置との間をスライド可能に構成され、雄部材６０ａを閉位置にスライドして雌部材６０ｂに係止させることで、おろし器本体１０と網体２０とが接合した状態でトング５０を固定することができる。この状態から、雄部材６０ａを開位置にスライドさせることで、雄部材６０ａと雌部材６０ｂとの係止が解かれ、おろし器本体１０と網体２０とを離間させることができる。
【００２４】
このような係止具６０を設けることにより、雄部材６０ａを移動させるだけで、おろし器本体１０と網体２０とを片手でも容易に接合及び離間させることができる。なお、衛生面を考慮して、おろし器本体１０を水に浸けた際に、係止具６０が水に浸からない位置に設けるのが好ましい。
【００２５】
以上説明したように、おろし器１は、内面に複数の突起１１を備え、下側に突起したおろし器本体１０と、おろし器本体１０の上面を被覆する網体２０とを備えるため、図１に示すようなおろし器本体１０及び網体２０が離間した状態において、薬味植物として、例えば生姜を突起１１ですりおろして、図４に示すようにおろし器本体１０の上面を網体２０で被覆し、おろし器本体１０及び網体２０をお湯に浸けた場合に、粒の大きいかすをおろし器本体１０内に残し、網体２０のメッシュを通過する粒の小さい生姜のみをお湯の中に取り出すことができる。したがって、生姜のかすが含まれない生姜湯を作ることができ、のど越しの良い生姜湯を飲むことができる。なお、網体２０で被覆したおろし器本体１０を水中に浸ける他に、網体２０で被覆したおろし器本体１０を振っても、網体２０のメッシュを通過する粒の小さい生姜のみを外部に取り出すことができる。
【００２６】
なお、上述した実施形態は一例に過ぎず、本発明は特許請求の範囲に記載の発明の範囲で種々変形して実施することが可能である。
【００２７】
上述した実施形態におけるおろし器本体１０、網体２０、突起１１等の形状は一例に過ぎない。例えば、図５に示すおろし器１Ａのように、おろし器本体１０ａの深さは上述した実施形態で示したおろし器本体１０の深さよりも浅くしてもよいし、網体２０ａの厚さは上述した実施形態で示した網体２０の厚さよりも薄くしてもよい。
【００２８】
また、上述した実施形態における係止具６０の構造は一例に過ぎない。例えば、雄部材６０ａは、一端が上側バー４０に回動可能に固定され、当該雄部材６０ａを回動させることにより当該雄部材６０の他端を雌部材６０ｂに係止させるようにしてもよい。
【産業上の利用可能性】
【００２９】
本発明は、生姜、ニンニク等の薬味植物のおろし器として使用できる他、茶こし器としても利用できる。
【符号の説明】
【００３０】
１、１Ａ  おろし器
１０、１０ａ  おろし器本体
１１  突起
２０、２０ａ  網体
３０  下側バー
４０  上側バー
５０  トング
６０  係止具
６０ａ  雄部材
６０ｂ  雌部材
【要約】
【課題】薬味植物をすりおろした際に発生する粒の大きいかすを分離し、粒の小さい薬味植物のみを取り出すことができるおろし器を提供する。
【解決手段】おろし器１は、内面に薬味植物をすりおろす複数の突起１１を備え、下側に突起したおろし器本体１０と、おろし器本体１０の上面を被覆する網体２０とを備える。
【選択図】図１【図１】
0006867545.tif 000002
【図２】
0006867545.tif 000003
【図３】
0006867545.tif 000004
【図４】
0006867545.tif 000005
【図５】
0006867545.tif 000006